(57)【特許請求の範囲】
【請求項１】
少なくとも一面を開口するハウジング内にプラスイオン及びマイナスイオンを発生するイオン発生部を配した本体部と、マスクの端部を挟んで前記本体部をマスクに装着するクリップとを備え、
前記ハウジングが可撓性の接続部を介して連結される第１収納部及び第２収納部を有し、第１収納部及び第２収納部のそれぞれに前記イオン発生部を設け、
マスクの内側に装着された前記本体部からマスクとユーザとの間にプラスイオン及びマイナスイオンを放出することを特徴とするイオン発生装置。
【請求項２】
第１収納部及び第２収納部の互いに対向する部分がマスクから離れるに従って互いに離れる方向に傾斜することを特徴とする請求項１に記載のイオン発生装置。
【請求項３】
前記ハウジングを緩衝材により形成し、前記ハウジングによってマスクとユーザの顔との隙間が覆われることを特徴とする請求項１又は２に記載のイオン発生装置。
【請求項４】
前記イオン発生部を制御するとともにケーブルを介して接続される制御部を備えたことを特徴とする請求項１〜３のいずれかに記載のイオン発生装置。
【請求項５】
前記制御部を収納するケースの外面に前記ケーブルを巻回する溝部を設けたことを特徴とする請求項４に記載のイオン発生装置。
【発明の詳細な説明】
【技術分野】
【０００１】
本発明は、マスクに固定されるイオン発生装置に関する。
【背景技術】
【０００２】
特許文献１にはイオン発生装置が取り付けられるマスクが開示される。このマスクは通気孔を有する受け部の両面にそれぞれ第１カバー及び第２カバーが開閉可能に枢支される。第１カバー及び受け部には布等により形成されたマスク体が取り付けられる。第１カバーを閉じるとマスク体が畳んで収納され、第１カバーを開くとマスク体が展開される。
【０００３】
第２カバーの内面にはイオン発生装置を取り付ける装具が設けられる。イオン発生装置は装具により受け部に面して取り付けられ、マイナスイオンを発生する。
【０００４】
上記構成のマスクにおいて、ユーザは第１カバー及び第２カバーを開き、マスク体により口や鼻を覆ってマスクを装着する。これにより、マスク体及び通気孔を介して呼吸を行い、マスク体によってユーザの口や鼻からのウィルス、花粉、塵埃等の侵入が防止される。また、イオン発生装置で発生したマイナスイオンは通気孔及びマスク体を介してマスク体の内部に拡散し、ユーザの面前に供給される。これにより、長期のマスク装着によるユーザの不快感を低減することができる。
【先行技術文献】
【特許文献】
【０００５】
【特許文献１】特開２００５−６１３号公報
【発明の概要】
【発明が解決しようとする課題】
【０００６】
しかしながら、上記のイオン発生装置は第２カバーに設けられた装具により取り付けられるため、マスクの構造が複雑になる。このため、マスクが高価になり、マスク体の損傷等によってマスクを交換するユーザの経済的な負担が大きくなる問題があった。
【０００７】
また、イオン発生装置で発生したイオンが開かれた第２カバーと受け部との間から流出するとともに、イオンの一部がマスク体で遮蔽される。このため、ユーザの面前に供給されるイオンが減少する問題もあった。
【０００８】
本発明は、マスクを使用するユーザに対して経済的負担を軽減するとともに、ユーザの面前に供給されるイオンを増加することのできるイオン発生装置を提供することを目的とする。
【課題を解決するための手段】
【０００９】
上記目的を達成するために本発明のイオン発生装置は、少なくとも一面を開口するハウジング内にプラスイオン及びマイナスイオンを発生するイオン発生部を配した本体部と、マスクの端部を挟んで前記本体部をマスクに装着するクリップとを備え、マスクの内側に装着された前記本体部からマスクとユーザとの間にプラスイオン及びマイナスイオンを放出することを特徴とする。
【００１０】
この構成によると、ユーザはクリップによって一般に市販されているマスクの端部を挟持して本体部をマスクへ固定する。イオン発生装置が駆動されると、イオン発生部からプラスイオン及びマイナスイオンが発生してマスク内に放出される。これにより、マスク内のウィルス、細菌、カビ等の発生が防止されるとともにマスクが消臭される。
【００１１】
また本発明は、前記ハウジングが可撓性の接続部を介して連結される第１収納部及び第２収納部を有し、第１収納部及び第２収納部のそれぞれに前記イオン発生部を設けたことを特徴とする。
【００１２】
この構成によると、イオン発生装置が駆動されると、第１収納部及び第２収納部のそれぞれからプラスイオン及びマイナスイオンが発生する。
【００１３】
また本発明は、第１収納部及び第２収納部の互いに対向する部分がマスクから離れるに従って互いに離れる方向に傾斜することを特徴とする。
【００１４】
また本発明は、前記ハウジングを緩衝材により形成し、前記ハウジングによってマスクとユーザの顔との隙間が覆われることを特徴とする。
【００１５】
また本発明は、前記イオン発生部を制御するとともにケーブルを介して接続される制御部を備えたことを特徴とする。
【００１６】
また本発明は、前記制御部を収納するケースの外面に前記ケーブルを巻回する溝部を設けたことを特徴とする。
【発明の効果】
【００１７】
本発明によると、イオン発生部が配される本体部とマスクを挟持するクリップとを備えるので、イオン発生装置をマスクに容易に取り付け、マスク内部にイオンを供給することができる。これにより、使い捨てマスク等の市販の安価なマスクにイオン発生装置を取り付けることができる。従って、ユーザの経済的な負担を軽減してマスク内の殺菌や消臭を行うことができる。
【００１８】
また、イオン発生装置をマスクの内側に容易に取り付けることができるので、イオン発生部で発生したイオンが直接ユーザの面前に供給される。従って、イオンの減少を防止し、殺菌効果や消臭効果の低下を防止することができる。
【図面の簡単な説明】
【００１９】
【図１】本発明の実施形態のイオン発生装置を示す斜視図
【図２】本発明の実施形態のイオン発生装置の本体部を示す上面図
【図３】本発明の実施形態のイオン発生装置の本体部を示す正面図
【図４】図３のＡ−Ａ断面図
【図５】図２のＢ−Ｂ断面図
【図６】図５のＣ−Ｃ断面図
【図７】本発明の実施形態のイオン発生装置を示す機能ブロック図
【図８】本発明の実施形態のイオン発生装置をマスクに取り付けた状態を示す正面図
【図９】本発明の実施形態のイオン発生装置を取り付けたマスクの装着状態を示す斜視図
【発明を実施するための形態】
【００２０】
以下に本発明の実施形態を図面を参照して説明する。図１は一実施形態のイオン発生装置１の斜視図を示している。イオン発生装置１はケーブル１０により接続される本体部２とケース１２とを有している。
【００２１】
ケース１２は携帯可能な大きさに形成された平面視略矩形の薄箱状に形成される。ケース１２の外面１２ａの角部１２ｃにはケーブル１０を券回する複数の溝部１５が配される。
【００２２】
ケース１２の上部には操作面１２ｂが配される。操作面１２ｂには操作部１３及び表示部１４が配される。ユーザは操作部１３を操作して本体部２を制御する。ＬＥＤ光源を有する表示部１４は本体部２の駆動状況に応じて色彩が変化して点灯する。
【００２３】
ケース１２に接続されるケーブル１０の端部にはコネクタ８が配される。コネクタ８は本体部２の端部に設けられた差込口２ａに接続される。ケーブル１０を介してケース１２と本体部２とが接続されると、制御部１１（図７参照）から本体部２に制御信号や電力を供給することができる。
【００２４】
図２は本体部２の上面図、図３は本体部２の正面図、図４は図３のＡ−Ａ側面図、図５は図２のＢ−Ｂ断面図、図６は図５のＣ−Ｃ断面図を示す。
【００２５】
本体部２は緩衝材により形成されるハウジング２０により覆われる。ハウジング２０は可撓性の接続部６０を介して左右に連結される第１収納部２１ａ及び第２収納部２１ｂを有している。接続部６０の表面はシリコン樹脂等から成りユーザへの当接の負担を軽減する。
【００２６】
本体部２は緩衝材により形成されるハウジング２０により覆われる。ハウジング２０は接続部６０を介して左右に連結される第１収納部２１ａ及び第２収納部２１ｂを有している。第１収納部２１ａ及び第２収納部２１ｂは上面を塞いで下面を開放した筒状に形成され、奥行き１０ｍｍ程度に形成される。
【００２７】
第１収納部２１ａ及び第２収納部２１ｂの前面２０ａ、２０ｂは略平面に形成され、前面２０ａ、２０ｂの上端には複数のクリップ５が左右方向に並設される。クリップ５は上端を固定された側面断面がＬ字状に形成され、図８に示すようにマスク３の上端を挟んで本体部２をマスク３に取り付ける。
【００２８】
第１収納部２１ａ及び第２収納部２１ｂの背面２３ａ、２３ｂは後方に凸の曲面に形成される。これにより、背面２３ａ、２３ｂの互いに対向する部分はマスク３から離れるに従って互いに離れる方向に傾斜する。このため、図９に示すように本体部２を取り付けたマスク３をユーザの顔面に装着した際に、背面２３ａ、２３ｂがユーザの頬に密着するとともに、背面２３ａ、２３ｂの対向部分をユーザの鼻部分に容易に密着させることができる。
【００２９】
接続部６０はシリコン樹脂等の可撓性部材により形成される。このため、第１収納部２１ａに対する第２収納部２１ｂの前後方向の角度α及び上下方向の角度を容易に可変することができる。これにより、背面２３ａ、２３ｂをユーザの顔面により密着させることができる。
【００３０】
第１収納部２１ａの内部にはイオン発生部６ａが設けられ、第２収納部２１ｂの内部にはイオン発生部６ｂが設けられる。イオン発生部６ａ、６ｂはそれぞれ放電電極７ａと放電電極７ｂとを有している。放電電極７ａはハウジング２０の内面の天井面に立設した針状に形成され、接続部６０に近い位置に配される。放電電極７ｂはハウジング２０の内面の天井面に立設した断面略矩形の角柱台形状に形成され、接続部６０から離れた位置に配される。
【００３１】
放電電極７ａ、７ｂの印加電圧が正電圧の場合にはイオンが空気中の水分と結合して主としてＨ＋（Ｈ２Ｏ）ｍから成るプラスイオンを発生する。放電電極７ａ、７ｂの印加電圧が負電圧の場合にはイオンが空気中の水分と結合して主としてＯ２−（Ｈ２Ｏ）ｎから成るマイナスイオンを発生する。ここで、ｍ、ｎは任意の自然数である。Ｈ＋（Ｈ２Ｏ）ｍ及びＯ２−（Ｈ２Ｏ）ｎは空気中の浮遊菌や臭い成分の表面で凝集してこれらを取り囲む。
【００３２】
そして、式（１）〜（３）に示すように、衝突により活性種である［・ＯＨ］（水酸基ラジカル）やＨ２Ｏ２（過酸化水素）を微生物等の表面上で凝集生成して浮遊菌や臭い成分を破壊する。ここで、ｍ’、ｎ’は任意の自然数である。
【００３３】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００３４】
図７はイオン発生装置１の機能ブロック図である。ケース１２に収納される制御部１１は電池１６から電力が入力される。電池１６は充電式電池であっても交換電池であってもよい。操作部１３から電源のオン・オフやイオンの発生を指示する指示情報等が入力される。入力された指示情報に応じて制御部１１は表示部１４へ表示する。制御部１１はイオン発生部２から高圧電圧発生部１７を介してプラスイオン及びマイナスイオンを放出する指示を出す。
【００３５】
上記構成のイオン発生装置１において、本体部２をマスク５へ固定するとき、ユーザはクリップ５を用いてマスク３の上端を固定する（図８参照）。マスク５は端部に設けられる耳掛け部３ａとマスクの形状を保持するワイヤー部３ｂとが設けられる一般で市販されている安価な使い捨てマスクでよい。
【００３６】
本体部２をマスク３に固定する際、クリップ５の上面５ａと下端５ｂとの間にワイヤー部３ｂが配されるように固定する。そして、ユーザは耳掛け部３ａに耳を通して装着する（図９参照）。この時、接続部６０を屈曲して第１収納部２０ａ、第２収納部２０ｂがユーザに適した角度αに配される。
【００３７】
また、接続部６０は可撓性であるとともに、ハウジング２０を緩衝材により形成されるため、ハウジング２０によってマスク３とユーザの顔との隙間が覆われる。これによりマスク３内にウィルスの進入を防ぐとともに、プラスイオン及びマイナスイオンをマスク３の外へ漏えいを抑制する。
【００３８】
ユーザの操作部１３の操作により本体部２が駆動されると、放電電極７ａからは下方の口や鼻にむけてプラスイオン及びマイナスイオンが放出される。放電電極７ｂからは下方のユーザの頬などの呼吸器官周辺の肌にむけてプラスイオン及びマイナスイオンが放出される。これにより、マスク３内はプラスイオン及びマイナスイオンが拡散して除菌や臭いの除去を行うことができる。
【００３９】
使用によりマスク３の劣化や損傷が生じると、マスク３から取り外した本体部２がクリップ５により新しい市販の安価なマスク３に取り付けられる。このため、ユーザの経済的な負担が軽減される。
【００４０】
また、ユーザが制御部１１から指示を与えた後は、ケーブル１１を本体部２から抜いてイオン発生装置１を使用してもよい。これにより、制御部１１と本体部２とは切り離されてイオン発生装置１の利便性が向上する。
【００４１】
本発明によると、イオン発生部６ａ、６ｂが配される本体部２とマスク３を挟持するクリップ５とを備えるので、イオン発生装置１をマスク３に容易に取り付け、マスク３の内部にイオンを供給することができる。これにより、使い捨てマスク等の市販の安価なマスク３にイオン発生装置１を取り付けることができる。従って、ユーザの経済的な負担を軽減してマスク３内の殺菌や消臭を行うことができる。
【００４２】
また、イオン発生装置１をマスクの内側に容易に取り付けることができるので、イオン発生部６ａ、６ｂで発生したイオンが直接ユーザの面前に供給される。従って、イオンの減少を防止し、殺菌効果や消臭効果の低下を防止することができる。
【００４３】
また、ハウジング２０が可撓性の接続部６０を介して連結される第１収納部２１ａ及び第２収納部２１ｂを有し、第１収納部２１ａ及び第２収納部２１ｂのそれぞれにイオン発生部６ａ、６ｂを設けたため、ユーザの顔面に密着して本体部２を容易に装着できるとともに、マスク３内の殺菌及び消臭効果を向上することができる。
【００４４】
また、第１収納部２１ａ及び第２収納部２１ｂの背面２３ａ、２３ｂの対向部分がマスク３から離れるに従って互いに離れる方向に傾斜するために、本体部２が顔面に密着し、マスク３からプラスイオン及びマイナスイオンの漏えいを防ぐことができる。
【００４５】
また、ハウジング２０を緩衝材により形成し、ハウジング２０によってマスク３とユーザの顔との隙間が覆われるため、本体部２が顔面に密着し、マスク３の外へプラスイオン及びマイナスイオンの漏えいを容易に防ぐことができる。
【００４６】
また、イオン発生部６ａ、６ｂを制御するとともにケーブル１０を介して接続される制御部１１を備えたために、本体部２を軽量化してユーザの負担を軽減することができる。
【００４７】
また、制御部１１を収納するケース１２の外面にケーブル１０を巻回する溝部１５を設けたために、ケーブル１０が邪魔にならずにケース１２の持ち運びが容易になる。
【産業上の利用可能性】
【００４８】
本発明によると、マスクに固定されるイオン発生装置に利用することができる。
【符号の説明】
【００４９】
１      イオン発生装置
２      本体部
２ａ    差込口
３      マスク
３ａ    耳掛け部
３ｂ    ワイヤー部
５      クリップ
６ａ    イオン発生部
６ｂ    イオン発生部
７ａ    放電電極
７ｂ    放電電極
８      コネクタ
９      コネクタ差込口
１０    ケーブル
１１    制御部
１２    ケース
１２ａ  外面
１２ｂ  操作面
１３    操作部
１４    表示部
１５    溝部（巻取溝）
１６    電池
１７    高圧電圧発生部
２０    ハウジング
２０ａ  前面
２０ｂ  前面
２１ａ  第１収納部
２１ｂ  第２収納部
２２ａ  開口面
２２ｂ  開口面
２３ａ  背面
２３ｂ  背面
６０    接続部
【図１】
0005833470.tif 000002
【図２】
0005833470.tif 000003
【図３】
0005833470.tif 000004
【図４】
0005833470.tif 000005
【図５】
0005833470.tif 000006
【図６】
0005833470.tif 000007
【図７】
0005833470.tif 000008
【図８】
0005833470.tif 000009
【図９】
0005833470.tif 000010